(57)【要約】【課題】いままで問題であった近距離も含めて広い距離範囲における合焦位置の検出精度を上げることができる撮影装置を提供する。  【解決手段】補助光発光部に複数のＬＥＤ１〜７を配備する。合焦位置のサーチを行なっているときに、遠くにあるほど多数のＬＥＤ１〜７を発光させ被写体に向けてＡＦ補助光を照射させる。サーチが近距離側に近くづくにつれてＬＥＤの発光数を減らして、撮像素子が備える多数の中央周辺の受光素子が反射光を受光したときに受光素子が飽和することを防止する。【選択図】図２
2008046231.tif 000002
【特許請求の範囲】
【請求項１】
撮像素子を備え、該撮像素子上に被写体像を形成して画像信号を生成する撮影装置において、
ピントを移動させながら画像信号のコントラストを検出することにより合焦位置を検出するピント検出部と、
複数のＬＥＤを有し、前記ピント検出部がピントを移動させながら合焦位置をサーチしている間、ピント位置に応じて、該ピントが遠方にあるほど多数のＬＥＤを発光させることにより被写体に向けて補助光を照射する補助光発光部とを備えことを特徴とする撮影装置。
【請求項２】
被写体を複数の色光それぞれに分けたときの各色光による画像信号を生成する撮像素子を備えた撮影装置において、
ピントを移動させながら画像信号のコントラストを検出することにより合焦位置を検出するピント検出部と、
ＬＥＤを有し、前記ピント検出部がピントを移動させながら画像信号のコントラストを検出している間、被写体に向けて前記ＬＥＤから補助光を発光する補助光発光部とを備え、
前記ピント検出部は、前記撮像素子で生成された各色光ごとの画像信号のうちの、適正な受光レベルの画像信号に基づいてコントラストの検出を行なうものであることを特徴とする撮影装置。
【請求項３】
前記ピント検出部は、コントラスト検出に用いた画像信号を得る基になった色光に応じた合焦位置ずれを補正する手段を備えたことを特徴とする請求項２記載の撮影装置。
【発明の詳細な説明】
【技術分野】
【０００１】
本発明は、撮像素子を備え、その撮像素子上に被写体像を形成して画像信号を生成する撮影装置に関する。
【背景技術】
【０００２】
撮像素子を備え、その撮像素子上に被写体像を形成して画像信号を生成する撮影装置においては、ピント調整を行なうにあたって、ピントを移動させながら画像信号のコントラストを検出することにより合焦位置を検出することによってピント調整を行なうものが多い（例えば特許文献１参照）。以降の説明においては、ピントを移動させながら合焦位置を検出することを‘合焦位置をサーチする’と記載することがある。
【０００３】
上記特許文献１の撮影装置では、夜間撮影等において被写界輝度が暗いことがピント調整を行なう前に撮影装置内部の測光装置により検出されたときには、合焦位置をサーチしている間中、被写体の中央に向けてそのＬＥＤからスポット的に補助光を発光させその中央周辺のエリア内のコントラストを検出することにより合焦位置の検出精度を上げようとしている。
【０００４】
またこの特許文献１では、より合焦位置の検出精度を上げるために、合焦位置をサーチする前に得た測光値に基づいて絞り径やシャッタ速度を設定してサーチ中の適正露出を確保しようともしている。
【０００５】
しかし、特許文献１の技術では、サーチ中にＡＦ補助光を発光したときに相対的に近距離に在る主要被写体にあたって反射してくるＡＦ補助光の光量が予想以上に多くなって受光素子（撮像素子）が飽和してしまうことがある。もしも受光素子が飽和すると、受光素子の飽和により正しいコントラストが得られなくなって合焦位置の検出能力が低下してしまう。
【特許文献１】特開２００１−１５７４１７号公報
【発明の開示】
【発明が解決しようとする課題】
【０００６】
本発明は、上記事情に鑑み、いままで問題であった近距離も含めて広い距離範囲における合焦位置の検出精度を上げることができる撮影装置を提供することを目的とする。
【課題を解決するための手段】
【０００７】
上記目的を達成する本発明の第１の撮影装置は、撮像素子を備え、その撮像素子上に被写体像を形成して画像信号を生成する撮影装置において、
ピントを移動させながら画像信号のコントラストを検出することにより合焦位置を検出するピント検出部と、
複数のＬＥＤを有し、上記ピント検出部がピントを移動させながら合焦位置をサーチしている間、ピント位置に応じて、そのピントが遠方にあるほど多数のＬＥＤを発光させることにより被写体に向けて補助光を照射する補助光発光部とを備えことを特徴とする。
【０００８】
上記本発明の第１の撮影装置によれば、上記ピント検出部が合焦位置をサーチしている間、上記補助光発光部によってピントが遠方にあるほど多数のＬＥＤを発光させることにより被写体に向けて補助光（ＡＦ補助光）が照射される。
【０００９】
つまり、ピントが近距離にあるときには、発光するＬＥＤの数を減らすことにより光量を減らして被写体に向けて補助光を照射する。その結果、受光素子が飽和することが防止され検出精度が高められる。
【００１０】
すなわち、本発明の第１の撮影装置によれば、遠距離から近距離までの広い距離範囲で合焦位置の検出精度を上げることができる。
【００１１】
また上記目的を達成する本発明の第２の撮影装置は、被写体を複数の色光それぞれに分けたときの各色光による画像信号を生成する撮像素子を備えた撮影装置において、
ピントを移動させながら画像信号のコントラストを検出することにより合焦位置を検出するピント検出部と、
ＬＥＤを有し、上記ピント検出部がピントを移動させながら画像信号のコントラストを検出している間、被写体に向けて上記ＬＥＤから補助光を発光する補助光発光部とを備え、
上記ピント検出部は、上記撮像素子で生成された各色光ごとの画像信号のうちの、適正な受光レベルの画像信号に基づいてコントラストの検出を行なうものであることを特徴とする。
【００１２】
上記本発明の第２の撮影装置によれば、上記ピント検出部によって上記撮像素子で生成された各色光ごとの画像信号のうちの、適性な受光レベルの画像信号に基づいてコントラストの検出が行なわれる。
【００１３】
そうすると、もしもいずれかの色光の画像信号が飽和レベルに達したときには、その飽和レベルに達した色光以外の色光のうちの、適正な受光レベルの画像信号に基づいてコントラストの検出が行なわれる。
【００１４】
その結果、いままで問題であった近距離においては各色光を受光する受光素子の感度の違いを利用して受光素子が飽和することが防止され検出精度が高められる。
【００１５】
すなわち、本発明の第２の撮影装置によれば、遠距離から近距離までの広い距離範囲で合焦位置の検出精度を上げることができる。
【００１６】
ここで、コントラスト検出を利用した色光の画像信号によっては、色収差により合焦位置ずれが発生するので、上記ピント検出部は、コントラスト検出に用いた画像信号を得る基になった色光に応じた合焦位置ずれを補正する手段を備えていると良い。
【発明の効果】
【００１７】
以上、説明したように、いままで問題であった近距離も含めて広い距離範囲における合焦位置の検出精度を上げることができる撮影装置が実現する。
【発明を実施するための最良の形態】
【００１８】
以下、図面を参照して本発明の実施の形態を説明する。
【００１９】
図１は、本発明の撮影装置の一実施形態であるデジタルカメラを示す図である。
【００２０】
図１には本発明の一実施形態であるデジタルカメラの斜視図が示されている。図１（ａ）には正面上方から見た斜視図が示されており、図１（ｂ）には背面上方から見た斜視図が示されている。
【００２１】
図１（ａ）に示すように、本実施形態のデジタルカメラ１００のボディ中央にはレンズ鏡胴１７０が備えられており、そのレンズ鏡胴１７０の上方には、ファインダ１０３が備えられている。またそのファインダ１０３の脇にはＡＦ補助光発光窓１６０が備えられていて、そのＡＦ補助光発光窓１６０の、ファインダ１０３を挟んだ反対側には、撮影補助光発光窓１８０が備えられている。
【００２２】
また、図１（ｂ）に示すように本実施形態のデジタルカメラ１００の背面および上面にはユーザがこのデジタルカメラ１００を使用するときにいろいろな操作を行なうための操作スイッチ群が設けられている。
【００２３】
この操作子群１０１の中にはデジタルカメラ１００を作動させるための電源スイッチ１０１ａのほか、十字キー１０１ｂ、メニュー／ＯＫキー１０１ｃ、キャンセルキー１０１ｄ、モードレバー１０１ｅなどがある。これらの操作子群１０１の中のモードレバー１０１ｅによって再生モードと撮影モードの切替や撮影モードの中でさらに動画モード、静止画モードの切替が行なわれる。上記モードレバー１０１ｅが撮影モードに切り替えられた状態にあるときに電源スイッチが投入されたら表示画面上にスルー画が表示されて、そのスルー画を見ながらシャッタチャンスにレリーズ釦１０２が押されたら被写体の撮影が行なわれる。なお上記モードレバー１０１ｅが再生側に切り替えられた状態にあるときには既撮影画像がＬＣＤパネル１５０上に再生表示される。
【００２４】
なお本実施形態のデジタルカメラが備えるレリーズ釦１０２は半押しと全押しの２つの操作態様を有しており、半押しされたときに半押しタイミングで測光と測距との双方が撮影装置内で行われて測光値に応じた絞りおよびシャッタ速度がセットされ、さらに測距された被写体距離にあうピント位置にフォーカスレンズが配置された後、全押し操作に応じてＣＣＤ固体撮像素子で露光が行なわれる。
【００２５】
このデジタルカメラ１００では、フォーカスレンズを移動させることによりピントを移動させながらＣＣＤ固体撮像素子で生成された画像信号のコントラストを後述するメインＣＰＵで検出することにより絶えず合焦位置が検出されているので、スルー画を表示しているときに被写界が暗いとメインＣＰＵによって判定されたときにはレリーズ釦１０２が半押しされたときにメインＣＰＵからの指示に基づいて後述する測光・測距ＣＰＵによって絞り（異なる絞り径を持つ絞りが複数備えられている）が切り替えられたりＣＣＤ固体撮像素子が備える電子シャッタのシャッタ速度が設定されたりする他、ＡＦ補助光発光窓１６０から測距精度を高めるためのＡＦ補助光が発光される様にもなっている。
【００２６】
図２は、図１のデジタルカメラ１００内部の電気系統の構成ブロック図である。  
【００２７】
図２を参照してこのデジタルカメラ１００の内部の構成および動作を簡単に説明する。
【００２８】
本実施形態のデジタルカメラ１００ではすべての処理がメインＣＰＵ１１０によって統括的に制御されている。このメインＣＰＵ１１０の入力部には図１（ｂ）に示した操作子ン群１０１からの操作信号がそれぞれ供給されていてそれらの操作信号のうちの少なくとも一つが供給されてきたら操作信号に応じた処理が適宜ＣＰＵ１１０によって実行される。メインＣＰＵ１１０はＥＥＰＲＯＭ１１０ａを有しており、このＥＥＰＲＯＭ１１０ａにはデジタルカメラ１００として動作するために必要なプログラムが書き込まれているので、操作子群１０１の中の電源スイッチ１０１ａ（図１参照）が投入されたらそのＥＥＰＲＯＭ１１０ａ内のプログラムの手順にしたがってメインＣＰＵ１１０によりこのデジタルカメラ全体の動作を制御する処理が開始される。なお、ＣＰＵ１１０とＥＥＰＲＯＭ１１０ａには常に電源１３０から電力が供給されている。
【００２９】
ここで操作子群１０１の中の電源スイッチ１０１ａ（図１参照）が投入されたときのデジタルカメラ１００の動作を、図２を参照して説明する。
【００３０】
操作子群１０１の中の電源スイッチ１０１ａが投入されたら、メインＣＰＵ１１０により電源スイッチ１０１ａが投入されたことが検知され、電源１３０から測光・測距ＣＰＵ１２０などの各ブロックに電力が供給される。電源１３０から各ブロックに電力が供給されたときにモードレバー１０１ｅが撮影側に切り替えられていた場合には、まずＣＣＤ固体撮影素子１１２に結像された被写体像が画像信号として所定の間隔ごとに間引かれて出力され、その出力された画像信号に基づく被写体像が画像表示ＬＣＤ１５のＬＣＤパネル１５０上に表示される。このＣＣＤ固体撮像素子１１２にはクロックジェネレータ（以下、ＣＧという）１１２１からタイミング信号が供給されており、このタイミング信号によって所定の間隔ごとに、画像信号が間引かれて出力される。このＣＧ１１２１はメインＣＰＵ１１０からの指示に基づいてタイミング信号を出力しており、そのタイミング信号は、ＣＣＤ固体撮像素子１１２の他、後段のＡ／Ｄ部１１３、およびホワイトバランス調整・γ処理部１１４にも供給されている。したがって、ＣＣＤ固体撮像素子１１２、Ａ／Ｄ部１１３、ホワイトバランス・γ処理部１１４ではそのタイミング信号に同期して順序良く画像信号の処理が流れるように行なわれる。
【００３１】
このようにメインＣＰＵ１１０の指示に応じてＣＧ１１２１から出力されるタイミング信号に同期してＡ／Ｄ部１１３でデジタルの画像信号に変換され、またホワイトバランスγ処理部１１４でホワイトバランス調整やγ補正が行なわれる。さらにホワイトバランス調整やガンマ補正された画像信号が後段のＹＣ処理部に供給されＹＣ分離の処理が行なわれるのでホワイトバランス・γ処理部１１４とＹＣ処理部１１６との間の処理タイミングをあわせるためにバッファメモリ１１５が設けられている。このバッファメモリ１１５によってバッファメモリ１１５を境にした前段（ホワイトバランス・γ処理部１１４等）の処理タイミングと後段（ＹＣ処理部１１６）の処理タイミングとがあう様に調整されている。こうしてＹＣ処理部１１６に転送されてきた画像信号は、ＹＣ処理部１１６でＲＧＢ信号からＹＣ信号に変換され、その後バス１２１を介してその変換されたＹＣ信号が画像表示ＬＣＤ１５に供給されるとともにＹ信号がメインＣＰＵ１１０に供給される。
【００３２】
ＹＣ信号が供給される画像表示ＬＣＤ１５の方にはまずＹＣ信号をＲＧＢ信号に変換するＹＣ→ＲＧＢ変換部１５１があり、このＹＣ→ＲＧＢ変換部１５１でＹＣ信号が再びＲＧＢ信号に変換され、その変換されたＲＧＢ信号がドライバ１５２に供給され、さらにそのドライバ１５２によって画像表示ＬＣＤ１５のＬＣＤパネル１５０上にＲＧＢ信号に基づくカラー画像（被写体像）の表示が行なわれる。
【００３３】
また、Ｙ信号が供給されるメインＣＰＵ１１０の方では、Ｙ信号に基づいて測光が行なわれその測光値が後述する測光・測距ＣＰＵ１２０に供給されてその測光・測距ＣＰＵ１２０によって絶えず絞り径の変更制御やＣＣＤ固体撮像素子１１２のシャッタ速度（ＣＧ１１２１）の制御等が行なわれて適正な明るさを持つスルー画を得るために撮影に必要な露出が調整される様になっている。さらに、メインＣＰＵ１１０では、Ｙ信号からコントラストが検出されピント調整も絶えず行なわれる様になっていて、そのピント調整により得た合焦位置が測光・測距ＣＰＵ１２０に通知され測光・測距ＣＰＵ１２０によってフォーカスレンズ１１１０が合焦位置に配置される様にもなっている。
【００３４】
前述したＣＧ１１２１から出力されるタイミング信号に同期してＣＣＤ固体撮像素子１１２、Ａ／Ｄ部１１３、ＷＢ／γ補正部１１４およびバッファメモリ１１５等が動作して、所定の間隔ごとにＣＣＤ固体撮像素子１１２で生成された画像信号が処理されている訳であるから、この画像表示ＬＣＤ１５の表示パネル１５０上には撮影レンズが向けられた方向の被写体が被写体像として常に表示され続ける。この表示され続けている被写体像を視認しながら、シャッタチャンスにレリーズ釦１０２が押されると、レリーズ釦１０２の押下タイミングを起点として所定の秒時を経た後、ＣＣＤ固体撮像素子１１２に結像された画像信号すべてがＲＧＢ信号となって出力される。このＲＧＢ信号はＹＣ処理部１１６でＹＣ信号に変換されてさらに圧縮・伸張部１１７でＹＣ信号が圧縮され、その圧縮された画像信号がヘッダと共に画像ファイルとなってメモリカード１１９に記録される。この圧縮・伸張部１１７では静止画についてはＪＰＥＧ規格に準拠した圧縮方法で圧縮が行なわれてメモリカード１１９に画像ファイルが記録される。ヘッダ部には圧縮情報や撮影情報などが書き込まれており、このデジタルカメラ１００のモードレバー１０１ｅが再生側に切り替えられたら、メモリカード１１９からそのファイルのヘッダがまず読み出され、そのヘッダ内の圧縮情報に基づいてファイル内の圧縮画像信号が圧縮・伸張部１１７で伸張されて画像信号が元に復元された後、その画像信号に基づく被写体像がＬＣＤパネル１５０上に表示される。
【００３５】
また、この実施形態のデジタルカメラ１００には、メインＣＰＵ１１０の他に焦点調整および露出調整を行なうための測光・測距ＣＰＵ１２０が設けられており、この測光・測距ＣＰＵ１２０によって撮影光学系のフォーカスレンズの位置制御や絞りの切り替え制御が行なわれている。この測光・測距ＣＰＵ１２０では、前述した様に、焦点調整にあってはメインＣＰＵ１１０からの測距値に応じてフォーカスレンズ１１１０を合焦点位置に駆動し、露出調整にあってはメインＣＰＵ１１０からの測光値に応じて絞り１１１２の開口の大きさを変更してＣＣＤ固体撮像素子１１２の撮影面に与えられる光量を制御したり、撮影補助光を発光する必要があるときにはＸｅ管発光制御部１８ａに指示してＸｅ管を発光させ撮影補助光を被写体に向けて照射させたりもしている。  
【００３６】
また本実施形態のデジタルカメラ１００では、特許文献１と同様に測光値によってはメインＣＰＵ１１０の指示に基づいて測光・測距ＣＰＵ１２０が絞り値やシャッタ速度を設定するとともに、メインＣＰＵ１１０が補助光発光部１６に指示してＡＦ補助光を発光させてサーチ中の合焦位置の検出の精度を高めることも行なっている。
【００３７】
さらに本実施形態では、課題を解決するために補助光発光部１６に複数のＬＥＤ１〜７を配備しておいて、メインＣＰＵ１１０からの指示に基づいてピントが近距離にあるときには発光するＬＥＤの数を減らすことにより発光光量を減らして被写体に向けて補助光を照射させることができる様にもしている。
【００３８】
つまりこの例ではメインＣＰＵ１１０が、測光・測距ＣＰＵ１２０に指示してフォーカスレンズ１１１０を移動させることによりピントを移動させながら合焦位置をサーチしている間、ピント位置に応じて、ピントが遠方にあるほど補助光発光部１６に指示して多数のＬＥＤ１〜７を発光させることにより被写体に向けて補助光を照射させ、ピントが近距離にあるほどＬＥＤ１〜７の発光数を減らすことにより光量を減らして被写体に向けて補助光を照射させている。
【００３９】
図３は、補助光発光部が有する複数の発光ダイオード１〜７の構成例を示す図である。
【００４０】
図３には７つのダイオードが配列された例が示されている。
【００４１】
図３に示す様に７つのＬＥＤ１〜７を配列した場合には、合焦位置のサーチを行なうときにピントが遠方にあるときには１〜７すべてのＬＥＤを発光させ、近距離に近づくにつれてＬＥＤの発光数を減らしていってピントが近距離になったら７だけを発光させるようなことを行なえば良い。なお図３に示す配列であると、すべてを発光させたときに照射領域が広がるというメリットも得られる。
【００４２】
図４は、メインＣＰＵ１１０が行なうサーチ中のＡＦ補助光の発光処理の手順を示すフローチャートである。
【００４３】
なお、このフロー中の処理では、被写体が近距離側よりも遠方側に位置していることが多いということを考えて、フォーカスレンズ１１１０をＣＣＤ固体撮像素子１１２の近傍（この位置でピントがあう場合には被写体が遠方にある）からＣＣＤ固体撮像素子１１２から遠ざかる方向（この位置でピントがあう場合には被写体が近くにある）へ移動させて合焦位置をサーチする場合の例が掲げられている。
【００４４】
レリーズ釦１０２が押されて半押し状態になったら、このフローの処理が開始される。
【００４５】
ステップＳ４０１でスルー画の処理中に検出された測光値ＥＶが１以上だったらＡＦ補助光を発光する必要がないと判定して補助光を発光させる処理を行なわずにステップＳ４０２へ進んでステップＳ４０２でＡＦ補助光を発光することなしに合焦位置のサーチを行なって合焦位置を検出してこのフローの処理を終了する。
【００４６】
もしもステップＳ４０１でスルー画の処理中に検出された測光値ＥＶが１以下であったらＡＦ補助光を発光する必要があると判定してＮｏ側へ進んでステップＳ４０３ですべてのＬＥＤを発光させる。
【００４７】
次のステップＳ４０４へ進んでフォーカスレンズ１１１０をＣＣＤ固体撮像素子１１２から遠ざける方向へ移動させる。ここではまだサーチを始めたばかりなので次のステップＳ４０５でＮｏ側へ進んでステップＳ４０６でピント位置に応じて必要ならば少なくとも一つのＬＥＤ（図３に示す７個のＬＥＤ１〜７のうちの少なくとも一つ）を消灯してステップＳ４０３に戻ってステップＳ４０３からステップＳ４０５の処理を繰り返し行なう。ステップＳ４０５で、画像信号のコントラストのピークを検出したと判定したらＹｅｓ側へ進んでステップＳ４０７でＬＥＤをすべて消灯してこのフローの処理を終了する。
【００４８】
この様にピント位置が近づくにつれてＬＥＤの発光数を減らしていく処理が行なわれると、近距離においてＡＦ補助光を発光したとしてもＣＣＤ固体撮像素子を構成する受光素子が飽和することがなくなる。
【００４９】
以上説明した様に、いままで問題であった近距離も含めて広い距離範囲における合焦位置の検出精度を上げることができる撮影装置が実現する。
【００５０】
図５は、第２実施形態を説明する図である。
【００５１】
ＬＥＤ１〜７を単色光（緑色光）を発光するＬＥＤ８に代えた以外は、図２と同様の構成である。また、図２では図示しなかったが、本実施形態では特徴となるのでＣＣＤ固体撮像素子１１２が備えている色光を分けるためのフィルタ１１２Ｆが追記されている。図５に示すフィルタ１１２Ｆには赤色フィルタ、青色フィルタ、緑色フィルタの３つのフィルタが配備されている。この例では、ピントが近距離にあるときには、メインＣＰＵ１１０によってＣＣＤ固体撮像素子１１２で生成された各色光ごとの画像信号のうちの、適正な受光レベルの画像信号に基づいてコントラストの検出が行なわれる。
【００５２】
つまりメインＣＰＵ１１０によって、ピントが遠い距離にあるほど、フィルタのうちの緑色フィルタを通ってＣＣＤ固体撮像素子１１２を構成する受光素子に達した色光に基づく画像信号に基づいてコントラストの検出が行なわれ、ピントが近くなるにつれて赤色フィルタを通ってＣＣＤ固体撮像素子１１２を構成する受光素子に達した色光に基づく画像信号に基づいてコントラストの検出が行なわれ、さらに近づいたら青色フィルタを通ってＣＣＤ固体撮像素子１１２を構成する受光素子に達した色光に基づく画像信号に基づいてコントラストの検出が行なわれる。
【００５３】
図６は、フィルタ１１２Ｆが備える赤色フィルタ、青色フィルタ、緑色フィルタの分光特性を示す図である。図６の横軸は波長（ｎｍ）であり、縦軸はＬＥＤ８から発光された緑色光を受光素子（ＣＣＤ固体撮像素子）で受光したときの受光感度を、ＬＥＤ８の発光強度を１として比率で表わしたときの数値である。このため図６中には、ＬＥＤ８から発光される光の分光強度が太線で示されている。
【００５４】
ＬＥＤ８から緑色光が発光された場合には、ＣＣＤ固体撮像素子１１２上の色フィルタ１１２Ｆのうちの緑色フィルタで分けられた緑色光のみの画像信号が得られるはずである。
【００５５】
しかし図６に示す様にフィルタ１１２Ｆが持つ緑色フィルタの波長帯と赤色フィルタの波長帯は、それらの境界に重複した通過域（Ａ）を持ち、緑色フィルタの波長帯と青色フィルタの波長帯は、それらの境界に重複した通過域（Ｂ）を持つ。このため、緑色光が発光された場合に緑色光が持つ波長帯の一部の波長帯が赤色フィルタを透過し、また青色フィルタも透過する。本実施形態では、その性質を利用している。
【００５６】
つまり、緑色光＞赤色光＞青色光の順にフィルタの特性を反映して色光に対応する各受光素子の感度が低下するので、被写体距離が近くづくにつれてその感度の低下した方の色光の画像信号に基づいてコントラストの検出を行なう様にすれば、第１実施形態と同様の効果が得られるという訳である。こうしても良い。
【００５７】
図７は、メインＣＰＵ１１０が行なうサーチ中のＡＦ補助光の発光処理の手順を示すフローチャートである。
【００５８】
ステップＳ４０６がステップＳ４０６１の処理に変更された以外は、図４と同じ処理である。
【００５９】
ステップＳ４０６１で最初に緑色フィルタを透過した光を受光した画素（受光素子）の画像信号に基づいてコントラストの検出を行なう。以降ステップＳ４０４からステップＳ４０６１の処理を繰り返し行ない、ピントが近くなるにつれてステップＳ４０６１で赤色フィルタを透過した光を受光した画素（受光素子）の画像信号に基づいてコントラストの検出を行ない、さらにピントが近づいたらステップＳ４０６１で青色フィルタを透過した光を受光した画素（受光素子）の画像信号に基づいてコントラストの検出を行なう。ステップＳ４０６でコントラストのピークを検出したらステップＳ４０７へ進んでＬＥＤを消灯してこのフローの処理を終了する。
【００６０】
この様にしても、第１実施形態と同様の効果が得られる。
【００６１】
ここで第２実施形態では、ステップＳ４０６１で色光ごとに適正な受光レベルにある画像信号を用いる様にしているので、ステップＳ４０７でコントラストのピークを検出したときに色収差により合焦位置ずれが発生する恐れがある。
【００６２】
図８は色収差を説明する図である。
【００６３】
周知の通り、色収差は波長の違いにより発生するものである。
【００６４】
図８に示す様に各色光ごとに波長が異なるため、レンズを透過する際の屈折の仕方が異なって合焦位置がずれてしまう。
【００６５】
この色収差の補正がＹ信号に基づいて測距の処理を実行するメインＣＰＵ１１０によって行なわれる。
【００６６】
図９は、メインＣＰＵ１１０（図２参照）が行なう処理の手順を示す図である。
【００６７】
ステップＳ４０６１をステップＳ４０６２に変更し、ステップＳ４０８を追加した以外は、図７の処理と同じである。
【００６８】
ステップＳ４０６２で、コントラストの検出に用いる色光を変更する処理を行なう以外に、ＬＥＤに多数の色光を発光する光源を複数用いた場合の処理を追加している。
【００６９】
また、ステップＳ４０８で、コントラスト検出に用いた画像信号を得る基になった色光（ここでは緑色を基準として赤色あるいは青色）に応じた合焦位置ずれを補正するとともに、発光色に応じても合焦位置ずれを補正することができる様にしている。
【００７０】
以上説明した様に、いままで問題であった近距離も含めて広い距離範囲における合焦位置の検出精度を上げることができる撮影装置が実現する。
【図面の簡単な説明】
【００７１】
【図１】本発明の撮影装置の一実施形態であるデジタルカメラを示す図である。
【図２】図１のデジタルカメラ１００内部の電気系統の構成ブロック図である。
【図３】補助光発光部が有する複数の発光ダイオードの構成例を示す図である。
【図４】メインＣＰＵ１１０が行なうサーチ中のＡＦ補助光の発光処理の手順を示すフローチャートである。
【図５】第２実施形態を説明する図である。
【図６】フィルタ１１２Ｆが備える赤色フィルタ、青色フィルタ、緑色フィルタの分光特性を示す図である。
【図７】メインＣＰＵ１１０が行なうサーチ中のＡＦ補助光の発光処理の手順を示すフローチャートである。
【図８】色収差を説明する図である。
【図９】メインＣＰＵが行なう処理の手順を示す図である。
【符号の説明】
【００７２】
１００    デジタルカメラ
１０１    操作子群
１０１ａ      電源スイッチ
１０１ｂ    十字キー
１０１ｃ    メニューキー
１０１ｄ    キャンセルキー
１０１ｅ      モードダイヤル
１０２        レリーズ釦
１０３    ファインダ
１１０    メインＣＰＵ
１２０    測光・測距ＣＰＵ
１６      補助光発光部
１６ａ    ＬＥＤ発光制御部
１６０      補助光発光窓
１〜８    ＬＥＤ
１７０    レンズ鏡胴
１８    撮影補助光発光部
１８ａ    Ｘｅ管発光制御部
１８０      補助光発光窓
【図１】
2008046231.tif 000003
【図２】
2008046231.tif 000004
【図３】
2008046231.tif 000005
【図４】
2008046231.tif 000006
【図５】
2008046231.tif 000007
【図６】
2008046231.tif 000008
【図７】
2008046231.tif 000009
【図８】
2008046231.tif 000010
【図９】
2008046231.tif 000011